(57)【特許請求の範囲】
【請求項１】
アンテナシステムであって、
−少なくとも１つのアンテナ及び少なくとも１つの無線接続ボックスを含み、第１の軸Ｘ−Ｘ´に沿って設けられた、第１のモジュールと、
−第２の軸Ｙ−Ｙ´に沿って設けられ、第３の軸Ｚ−Ｚ´に沿って配置されたマウントへ前記アンテナシステムの固定及び位置決めをするように構成され、該第３の軸Ｚ−Ｚ´に関して第１の回転をするように構成された、第２の設置モジュールと、
−前記第１のモジュールと前記第２の設置モジュールの間の接続を確保する境界部と、
を備え、
前記境界部と前記第１のモジュールとの間の接続が、前記第１の軸Ｘ−Ｘ´に関する該第１のモジュールの第２の回転を可能とし、
前記境界部と前記第２の設置モジュールとの間の接続が、前記第２の軸Ｙ−Ｙ´に関する該境界部及び前記第１のモジュールの第３の回転を可能とし、
前記第１の回転、前記第２の回転、及び前記第３の回転によって、前記アンテナの整合を可能にする、
アンテナシステム。
【請求項２】
前記境界部が、前記第１のモジュールの接触面に強固に接続可能な第１のプレート及び前記第２の設置モジュールの接触面に強固に接続可能な第２のプレートを備える、請求項１に記載のアンテナシステム。
【請求項３】
前記境界部が、前記第１のＲＦモジュール又は前記第２の設置モジュールとの一体部品で形成された、請求項１に記載のアンテナシステム。
【請求項４】
前記境界部が２つの部分で形成され、第１の部分が前記第１のモジュールと一体部品で形成され、第２の部分が前記第２の設置モジュールとの一体部品で形成された、請求項３に記載のアンテナシステム。
【請求項５】
前記第１のモジュールの前記軸Ｘ−Ｘ´と前記第２の設置モジュールの前記軸Ｙ−Ｙ´とが同一である、請求項１から４のいずれか一項に記載のアンテナシステム。
【請求項６】
前記第１のモジュールの前記軸Ｘ−Ｘ´と前記第２の設置モジュールの前記軸Ｙ−Ｙ´が非ゼロの角度をなす、請求項１から４のいずれか一項に記載のアンテナシステム。
【請求項７】
前記第１のモジュールの前記軸Ｘ−Ｘ´と前記第２の設置モジュールの前記軸Ｙ−Ｙ´が４５°の角度βをなす、請求項６に記載のアンテナシステム。
【請求項８】
前記第１のモジュールの前記軸Ｘ−Ｘ´と前記第２の設置モジュールの前記軸Ｙ−Ｙ´が９０°の角度αをなす、請求項６に記載のアンテナシステム。
【請求項９】
前記第２の設置モジュールが、前記アンテナシステムを前記マウントに固定可能であり、
前記マウントが、管形状又は平坦形状を有する、
請求項１から８のいずれか一項に記載のアンテナシステム。
【請求項１０】
前記第２の設置モジュールの前記第２の軸Ｙ−Ｙ´が前記マウントの前記第３の軸Ｚ−Ｚ´に略垂直であり、該マウントが管形状を有する、請求項９に記載のアンテナシステム。
【請求項１１】
前記第１のモジュールが、
−ともに組付け可能な前方部分及び後方部分を備えたカバーと、
−前記アンテナに向く開口と、
−前記開口に配置されたレードームと、
を備え、
前記少なくとも１つの無線接続ボックスは、前記アンテナの後方に固定されている、
請求項１から１０のいずれか一項に記載のアンテナシステム。
【請求項１２】
前記第１のモジュールが少なくとも部分的に円筒形状を有する、請求項１から１１のいずれか一項に記載のアンテナシステム。
【請求項１３】
前記第１のモジュールのカバーが概ね滑らかな球形状を有する、請求項１から１２のいずれか一項に記載のアンテナシステム。
【発明の詳細な説明】
【技術分野】
【０００１】
本発明は、アンテナシステムの分野に関し、特に、アンテナ及びそれをマウントに組み付けるための装置を備えたシステムに関する。
【背景技術】
【０００２】
いわゆるＬＴＥ標準（「Ｌｏｎｇ−Ｔｅｒｍ  Ｅｖｏｌｕｔｉｏｎ」）を用いた新たな世代の携帯電話ネットワークの展開、交換されるデータの量及び対応する通信トラフィックの規模の増加、更には新興国（中国、インド）へのユーザのコミュニティの拡張は、データを送信するネットワーク容量の増加を必要とする。さらに、旧来的な周波数帯（主に１０〜４０ＧＨｚの領域）は混雑しており、都会のネットワークでの益々増加するユーザ密度によって、都市の生活空間にアンテナが直接設置される小さなセルの必要性が増している。
【０００３】
これらの変化の全ては、それらに増加する新たな要件をもたらす。より高い周波数帯（５６〜９０ＧＨｚ）の使用は、アンテナの中心動作周波数の割合として表現される帯域（ＧＨｚ）をより多く提供する。これは、帯域容量の要求を満たすのに役立つ。これらの高い周波数では空気／水での吸収レベルが高いため、それらは、より小さいセルの要求に対応する短距離接続に適している。セルのサイズが小さいことによって、ゲインの劣化を良好なものとすることもでき、したがって、より小型のアンテナ開口の使用が可能となる。住宅エリアにおける一般の人々及びアンテナ設備の所有者の間での許容性を向上するために、景色を全体として損なわない独立した低体積の解決手段を持つことが重要である。ネットワークオペレータは、この要望を、いわゆる「ローフォームファクタ」アンテナ要件への要求に、それらが範囲を制限するにつれて同調させ、又はアンテナとは完全に異なって見える機器への要求に同調させてきた。
【０００４】
より小型のアンテナがあれば機器のコストが低減し、結果として、アンテナを設置することによって表されるコストファクタが、設置期間を短縮及び最適化したいと思うオペレータの注意をより惹くことになる。結論として、容易な設置を可能とするとともに客観的及び主観的に目立たないような、高い無線周波数で動作するローフォームファクタのアンテナが現在不可欠となっている。
【０００５】
現在の無線リンクシステムは一般的に、塔又はマスト構造物に固定されるマウントによって支持される送信アンテナ（ディッシュ、クラムシェル、パッチ、ホーンなどのような様々な技術的種類のものとなり得る）及びアンテナの後部に直接搭載されることが多い無線ボックスで構成され、これも結果的にアンテナのマウントによって支持される。このアセンブリ装置は、所定数の取付け要素、ネジ、ナット及び他の固定用要素で構成される。しかし、そのようなシステムは多数の欠点を有する：
・アンテナは、このようにはっきりと視認可能及び識別可能なままである
・そのようなアンテナシステムの組付け及び設置は、設置者によって扱われなくてはならない多数の部品のために比較的長時間を要する
・システムの技術的配置によっては、設置工程において２本より多い手が必要となる可能性がある
・システムは、アンテナが水平面（アジマス）及び垂直面（ティルト）の双方において調整されることを可能としない
・システムは見栄えの良いものではなく、アセンブリ装置及び無線ボックスから分離したアンテナを備える構造体は風圧抵抗に対して全く最適化されない。
【発明の概要】
【課題を解決するための手段】
【０００６】
従来技術の欠点をなくすために、好適な外観及び小さい体積で、設置が迅速かつ容易となるアンテナシステムが提案される。
【０００７】
本発明の主題は、
−無線周波数機能を確保し、少なくとも１つのアンテナ及び少なくとも１つの無線接続ボックスを含む第１のモジュールと、
−マウントへのアンテナシステムの固定及び位置決めを確保する第２の設置モジュールと、
−第１のモジュールと第２のモジュールの間の接続を確保し、アンテナを整列させるように第１のモジュールと第２のモジュールの間の回転接合を可能とする境界部と
を備えたアンテナシステムである。
【０００８】
第１の形態によると、境界部は、第１のモジュールの接触面に強固に接続可能な第１のプレート及び第２のモジュールの接触面に強固に接続可能な第２のプレートを備える。
【０００９】
第２の形態によると、境界部は、第１のモジュール又は第２のモジュールとの一体部品で形成され得る。一変形例によると、境界部は２つの部分で形成されていてもよく、第１の部分は第１のモジュールとの一体部品で形成され、第２の部分は第２のモジュールとの一体部品で形成される。
【００１０】
第１の構成によると、第１のモジュールの軸と第２のモジュールの軸とは同一である。
【００１１】
第２の構成によると、第１のモジュールの軸と第２のモジュールの軸は非ゼロの角度をなす。
【００１２】
第１の変形例によると、第１のモジュールの軸Ｘ−Ｘ´と第２のモジュールの軸Ｙ−Ｙ´は４５°の角度βをなす。
【００１３】
第２の変形例によると、第１のモジュールの軸と第２のモジュールの軸は略垂直であり、第１のモジュールの軸Ｘ−Ｘ´と第２のモジュールの軸Ｙ−Ｙ´は９０°の角度αをなす。
【００１４】
他の形態によると、第２のモジュールは、アンテナシステムを管状又は平坦マウントに固定可能である。好ましくは、第２のモジュールの軸Ｙ−Ｙ´は、管状マウントの軸Ｚ−Ｚ´に略垂直である。
【００１５】
提案される解決手段は、予期される機能：無線電波を送受信してアンテナの動作を確保すること、アンテナを水平（アジマス）平面及び垂直（ティルト）平面において正確に調整すること並びにアンテナシステムをマウントに固定すること、の全てを提供する小型アンテナシステムである。
【００１６】
一実施形態によると、第１のモジュールは、
−ともに組付け可能な前方部分及び後方部分を備えたカバーと、
−少なくとも１つのアンテナと、
−アンテナの後方に固定された少なくとも１つの接続ボックスと、
−アンテナに向く開口と、
−開口に配置されたレードームと
を備える。
【００１７】
一実施形態によると、第１のモジュールは少なくとも部分的に円筒形状を有する。
【００１８】
一実施形態によると、アンテナシステムは概ね滑らかな球形状を有する。
【００１９】
アンテナシステムの概形は、多数の有利な効果を有する見栄えの良い解決手段である。方向にかかわらず平坦面がない略球形状によって、風圧負荷、更には特に寒冷地においてアンテナシステムに氷又は雪が堆積するリスクが減少する。このアンテナシステムはまた、それが非常に少ない部品しか備えないため、組付け及び調整の容易化が可能となる。最後に、設計は、組付けの選択肢の観点において大幅な柔軟性を与え、特に、それは任意のマウント、特に円筒状の又は平坦なマウントにも設置されることができ、それによりアンテナシステムを全ての環境に適合させることが可能となる。
【００２０】
本発明の他の特徴及び有利な効果は、当然に非限定的な例として与えられる一実施形態及び添付図面の以降の説明を読めば明らかとなるであろう。
【図面の簡単な説明】
【００２１】
【図１】図１は、アンテナシステムの一実施形態を示す。
【図２】図２は、２つのモジュール間の接続を示す。
【図３】図３ａから３ｄは、図１のアンテナシステムのための無線接続ボックス及びレードームを示す。
【図４】図４は、アンテナシステムを管状マウントに組み付けるための第２のモジュールの第１の実施形態の模式的な上面図を示す。
【図５】図５ａ、５ｂ及び５ｃは、第１のモジュール及び第２のモジュールが整列された場合のアンテナシステムにおける境界部の第１の実施形態を示す。
【図６】図６ａ及び６ｂは、第１のモジュール及び第２のモジュールが整列された場合に管状マウントに組み付けられたアンテナシステムの構成の側面図及び斜視図をそれぞれ示す。
【図７】図７は、第１のモジュール及び第２のモジュールが整列されていない場合の境界部の第２の実施形態を示す。
【図８】図８ａ及び８ｂは、第１のモジュール及び第２のモジュールが整列されていない場合に平坦マウントに組み付けられたアンテナシステムの構成の側面図及び斜視図をそれぞれ示す。
【図９】図９ａ及び９ｂは、管状マウントに組み付けられたアンテナシステムの複数の構成の斜視図を示す。
【図１０】図１０は、アンテナシステムを平坦マウントに組み付けるための第２のモジュールの第２の実施形態の模式的な断面図を示す。
【図１１】図１１は、平坦マウントに組み付けられたアンテナシステムの構成の斜視図を示す。
【図１２】図１２ａ及び１２ｂは、平坦マウントに組み付けられたアンテナシステムの他の構成の正面図及び斜視図を示す。
【発明を実施するための形態】
【００２２】
図１に示す実施形態では、アンテナシステム１は、一端に、特に無線電波を送信する機能を確保するための第１のモジュール２を、他端に、マウントへのアンテナシステムの組付けを可能とするための第２のモジュール３を備える。第１のＲＦモジュール２は、第１のＲＦモジュール２と第２のアセンブリモジュール３の間の回転接合を確保する境界部４によって第２のアセンブリモジュール３に接続される。
【００２３】
第１のＲＦモジュール２は、その機能を満足するために、少なくとも１つのアンテナ及びその動作に必要な無線接続ボックスを含まなくてはならない。この場合、レードーム６に覆われたアンテナ５及び無線接続ボックス７は、第１のＲＦモジュール２の２部品カバー８ａ及び８ｂの内部に配置される。広帯域のコンセプトにおいて、カバー８ａ及び８ｂの材質を選択だけすることの代わりに、特定周波数のレードーム６が使用される。
【００２４】
このアンテナシステムは、広範なアンテナ技術に適用され得る。ここで、アンテナ５はネットワークアンテナを示す長方形ブロックの形態で図示されているが、ディッシュ若しくはオフセット反射アンテナ、又はモジュール内に配置されるホーンアンテナのような単純な直接給電アンテナを用いることも可能である。
【００２５】
第１のＲＦモジュール２のカバーの後方部分８ａ及び前方部分８ｂが接合され、ストッパ又はフラップ９を用いて強固に接続される。２つの部分８ａ及び８ｂが接合されると、第１のモジュール２のカバー８ａ及び８ｂは略円筒形となり、アンテナを向いて配置される円形開口１０を備える。
【００２６】
アンテナシステムは、全てのタイプのマウントに固定され得る。ここで、第２のアセンブリモジュール３は、例えば、マストなどの管状マウント１２の周囲に締められる雄フランジ１１ａ及び雌フランジ１１ｂを備える。２つのフランジ１１ａ及び１１ｂは、管状マウント１２の周囲に接合され、例えばボルト１３によって強固に接続される。
【００２７】
第１のＲＦモジュール２の軸Ｘ−Ｘ´及び第２のアセンブリモジュール３の軸Ｙ−Ｙ´は、ここでは同一である。２つのモジュール２及び３を接続してそれらが相互に回転できるように平坦な境界部４が第１のＲＦモジュール２の接触面１４と第２のアセンブリモジュール３の接触面１５との間に配置され、それにより第１のＲＦモジュール２がその軸Ｘ−Ｘ´に関して回転することが可能となり、第２のアセンブリモジュール３がその軸Ｙ−Ｙ´に関して回転することが可能となる。境界部４は、この場合のように、第１のＲＦモジュール２又は第２のアセンブリモジュール３との一体部品で形成され得る。モジュール２及び３は２つの部分からなるので、当然に、この場合には境界部４も２つの部分となる。中心合せロッド１６は、モジュール２及び３を相互に正しく位置決めすることを可能とする。第１のＲＦモジュール２及び第２のアセンブリモジュール３は、接続されると、形状が連続的に調和して均質で継目がなく、無線周波及び組付けの両機能を備える小型アンテナシステム１を形成する。問題となる方向にかかわらず平坦面がないアンテナシステム１の滑らかな球形状は、特に風圧負荷を軽減することによって環境的制限に関するアンテナシステム１の機械的挙動を向上させる。アンテナシステム１の形状、特に第１のＲＦモジュール２のカバー８ａ及び８ｂの形状は、ポリマーから成型によって生産されるように適合されるが、他の材料も使用され得る。
【００２８】
図２は、円筒中心合せロッド１６を用いた第１のＲＦモジュール２及び第２のアセンブリモジュール３の結合をより具体的に示し、中心合せロッド１６は、境界部４の中心における貫通孔１８を通り、モジュール２及び３の接触面１４及び１５の各々の中心に形成されたハウジング１７に嵌合する。境界部４は、第１のＲＦモジュール２又は第２のアセンブリモジュール３のいずれかとの一体部品で形成され得る。境界部４はまた、２つの部分として生産され、第１の部分が第１のＲＦモジュール２と一体部品であり、第２の部分が第２のアセンブリモジュール３との一体部品であり、２つのモジュール２及び３の間の接続は境界部４の２つの部分を結合することによって行われる。
【００２９】
図３ａは、カバーの後方部分８ｂが除去された第１のＲＦモジュール２の断面図を示す。無線接続ボックス７は、クライアントによって規定されるリンクに応じた固定手段２１によってアンテナ５の後方に固定される。最も一般的に使用される固定手段２１はネジである。無線接続ボックス７は、カバーの後方部分８ｂによって環境的な制限から保護される。
【００３０】
図３ｂ、３ｃ及び３ｄに図示されるレードーム６は、第１のＲＦモジュール２の内部に配設されたアンテナを保護するために円形開口１０に配置される。レードーム６は、固い可逆固定手段３０を備える。レードーム６を固定するための異なる方法が検討されてもよい。これらの固定手段３０は、円形開口１０の縁若しくは円形開口１０の縁の内部に形成された適切なハウジングと噛み合うような４分の１回転ネジ又は種々のフック形状３１、３２、３３及び３４を採り得るクリップなど、様々なタイプのものとなり得る。レードーム６を変更するのが容易となるような態様で固定手段３０が選択され、それにより、アンテナシステム１がどのように生産されるかについて大きな柔軟性が得られる。
【００３１】
このようなアンテナシステムは、種々のタイプのマウントに固定され得る。図４では、アンテナシステムが、雄フランジ４２及び雌フランジ４３を備えた第２のアセンブリモジュール４１によって管状マウント４０に固定される。雌フランジ４３は、マウント４０の周囲に配置される鍔を形成するように、それが雄フランジ４２に接合することを可能とする形状を有する。フランジ４２及び４３の間のリンクは、例えばネジなどの固定手段によって行われ、これにより、管状マウントに圧力をかけることによってシステムを適所に保持することが可能となる。
【００３２】
図５ａ、５ｂ及び５ｃは、第１のＲＦモジュール２の軸Ｘ−Ｘ´及び第２のアセンブリモジュール３の軸Ｙ−Ｙ´が同一である場合における図１の境界部４の一実施形態を示す。
【００３３】
第１のＲＦモジュール２及び第２のアセンブリモジュール３を接続するために、境界部４は、第１のＲＦモジュール２の接触面１４と強固に接続される第１のプレート５０、及び第２のアセンブリモジュール３の接触面１５と強固に接続される第２のプレート５１を備える。境界部４によって、第１のＲＦモジュール２と第２のアセンブリモジュール３の間の回転接合が可能となる。境界部４は、ここでは略円形である。
【００３４】
ここで、管状マウント１２に組み付けられる場合のアンテナシステム１の模式的な正面図及び斜視図を示す図６ａ及び６ｂを検討する。第１のＲＦモジュール２及び第２のアセンブリモジュール３は、軸Ｘ−Ｘ´及びＹ−Ｙ´に共通する軸に沿って整列される。第２のアセンブリモジュール３が固定されたままで、第１のＲＦモジュール２はその軸Ｘ−Ｘ´に関して回転６０をすることができる。図６ｂにおいて、第１のＲＦモジュール２は第２のアセンブリモジュール３に関して回転されている。この回転６０の目的は、円形開口１０に配置されたレードーム６の背後でアンテナ５が第１のＲＦモジュール２内に配置された状態で、アンテナ５を所望の位置に移動させることである。第２のアセンブリモジュール３は、管状マウント１２の選択された高さに配置され、締め付けられる前に、管状マウント１２の軸Ｚ−Ｚ´に関して回転６１をすることができる。このようにして、アンテナシステム１のアジマス及びティルトは、アンテナシステム１が管状マウント１２に設置されている間に調整され得る。アンテナシステムの方向決めを容易化するために、アンテナシステムを構成する種々の要素によって共有される適切な形状のツールが開発された。
【００３５】
図７は、第１のＲＦモジュール２の軸Ｘ−Ｘ´と第２のアセンブリモジュール３の軸Ｙ−Ｙ´とが非ゼロの、ここでは例として約９０°である角度αをなす場合の境界部８０の他の実施形態を示す。境界部７０は硬く、２つのプレート７１及び７２を備える。プレート７１及び７２はともに、第１のＲＦモジュール２の軸Ｘ−Ｘ´と第２のアセンブリモジュール３の軸Ｙ−Ｙ´がなす角αに等しい角度をなす。モジュール２及び３を予め設定された相対位置に保持するために、プレート７１の表面７４は第１のＲＦモジュール２の接触面１４に強固に接続可能であり、同様に、プレート７２の表面７３は第２のアセンブリモジュール３の接触面１５に強固に接続可能である。軸Ｘ−Ｘ´及びＹ−Ｙ´が約９０°の角度αをなすモジュール同士を接続するために境界部がここに記載されるが、その形状は、軸Ｘ−Ｘ´及びＹ−Ｙ´が任意の角度αをなすモジュール同士を接続するのに適合するように変形され得る。したがって、境界部７０の存在によって、第１のＲＦモジュール２がその軸Ｘ−Ｘ´に関して境界部７０に対して回転することが可能となり、第２のアセンブリモジュール３がその軸Ｙ−Ｙ´に関して境界部７０に対して回転することが可能となる。
【００３６】
図８ａ及び８ｂでは、アンテナシステム８０は、第１のＲＦモジュール２の軸Ｘ−Ｘ´に平行な軸Ｚ−Ｚ´を有する管状マウント１２に固定される。第１のＲＦモジュール２及び第２のアセンブリモジュール３は、２つのモジュール２及び３が前述の境界部７０によって接続されて第１のＲＦモジュール２の軸Ｘ−Ｘ´が第２のアセンブリモジュール３の軸Ｙ−Ｙ´に略垂直となるように配置される。第１のＲＦモジュール２の接触面１４は境界部７０の一方のプレート７１に強固に接続され、第２のアセンブリモジュール３の接触面１５は境界部７０の他方のプレート７２に強固に接続される。このアンテナシステムの構成は、追加の回転軸をそれに加えることによってより大きな可動性をアンテナシステムに与える強固な接続を必要とする。第１のＲＦモジュール２の接触面１４と境界部７０のプレート７１との間の接続によって第１のＲＦモジュール２の軸Ｘ−Ｘ´に関する回転８１が可能となる。第２のアセンブリモジュール３の接触面１５と境界部７０のプレート７２との間の接続によって第２のアセンブリモジュール３の軸Ｙ−Ｙ´に関する回転８２が可能となる。締め付ける前に、第２のアセンブリモジュール３によって管状マウント１２の軸Ｚ−Ｚ´に関する回転８３が可能となる。
【００３７】
図９ａ及び９ｂに示すように、境界部７０による第１のＲＦモジュール２及び第２のアセンブリモジュール３の相対的回転によって、異なる構成も得られる。
【００３８】
図９ａでは、アンテナシステム９０が、第１のＲＦモジュール２の軸Ｘ−Ｘ´に略垂直な軸Ｚ−Ｚ´を有する管状マウント１２に固定される。前述の構成と比べて、第２のアセンブリモジュール３は回転され、ここでは第１のＲＦモジュール２の軸Ｘ−Ｘ´に対して概ね９０°の角度αをなし、これは硬い境界部７０によって可能とされている。
【００３９】
図９ｂでは、第１のＲＦモジュール２はその軸Ｘ−Ｘ´に関して約４５°だけ回転されている。第２のアセンブリモジュール３も、管状マウント１２の軸Ｚ−Ｚ´がここでは角度βをなすような態様で、その軸Ｙ−Ｙ´に関して回転されており、角度βは、例えば、第１のＲＦモジュール２の軸Ｘ−Ｘ´に対して４５°に等しい。第１のＲＦモジュール２の軸Ｘ−Ｘ´及び第２のアセンブリモジュール３の軸Ｙ−Ｙ´のそれぞれの位置は変更されず、それらは略垂直のままである。上述した構成は、第１及び第２のモジュールの軸に対するそれらの軸のティルトにかかわらず全てのタイプの管状マウントに適し、それによりアンテナシステムの形状の幾何的連続性を維持する。
【００４０】
アンテナシステムはまた、図１０に示すように、雄フランジ１０２及び雌フランジ１０３を備えた第２のアセンブリモジュール１０１によって平坦マウント１００に固定されることもできる。第２のアセンブリモジュール３の軸Ｙ−Ｙ´は、平坦マウント１００の表面１０４に垂直である。壁プレートともいわれる雌フランジ１０３は、ドエル又はネジ状ロッドのような従来的手段の補助によって平坦マウント１００に付加及び固定される。雄フランジ１０２は、第２のアセンブリモジュール１０１を形成するために、雌フランジ１０３に凹設及び固定される。第２のアセンブリモジュール１０１は、第１のＲＦモジュール２に強固に接続されることができる。アンテナシステム１の滑らかな球状の調和した形状は、マウント１００によって保護されない全ての平坦面をなくし、これにより環境的制限に対するアンテナシステム１の機械的挙動が向上する。
【００４１】
これにより、アンテナシステムは、図１１及び１２に示すような幾つかの構成に基づいて、壁などの平坦マウント１００に固定されることができる。
【００４２】
図１１は、それぞれの軸Ｘ−Ｘ´及びＹ−Ｙ´が同一である場合の第１のＲＦモジュール２及び第２のアセンブリモジュール１０１を示す。この場合、境界部４による第１のＲＦモジュール２と第２のアセンブリモジュール１０１の間の接続は、レードーム６の背後に配置されたアンテナ５を所望の方向に向けるために第１のＲＦモジュール２自体を軸Ｘ−Ｘ´に関して回転することのみを可能とする。
【００４３】
図１２ａ及び１２ｂは、それぞれの軸Ｘ−Ｘ´及びＹ−Ｙ´が非ゼロの角度γ、例えば約９０°をなす場合の第１のＲＦモジュール２及び第２のアセンブリモジュール１０１を示す。そして、アンテナシステムは、アンテナのアジマス指向方向の調整における更なる柔軟性を与えるために、表面が第１のＲＦモジュールの軸Ｘ−Ｘ´に平行な壁に固定されることができる。
【００４４】
部品数が最少化されたが、このアンテナシステムは、そのモジュール性のために、わずか３つのサブアセンブリ： 
・無線ボックス及びアンテナを含む、ＲＦ機能に割り当てられる１つのモジュール、
・他のマウントも考えられるが、特に平坦又は管状となり得るマウントへの固定を確実にする１つのアセンブリモジュール、
・２つの機能を有する１つの境界部：第１に、それが、特にこれらの２つのモジュールが同じ軸に沿って整列されない場合に前述の２つのモジュールを接続し、第２に、それによりアンテナの向きが調整可能となる
を用いて様々な組付けの選択肢を提供する。
【００４５】
境界部が採用する種々の形状によって、様々な組付けの選択肢が可能となる。アンテナを含む第１のＲＦモジュールの軸Ｘ−Ｘ´に対するその向きにかかわらず、アンテナシステムが平坦マウント又は管状マウントのいずれかに固定され得ることを示した。特に、以下の構成：
・アンテナを含むＲＦモジュールの軸に対して軸が略平行な管状マウントへの組付け、
・アンテナを含むＲＦモジュールの軸に対して軸が略垂直な管状マウントへの組付け、
・アンテナを含むＲＦモジュールの軸に対して軸が任意の角度をなす管状マウントへの組付け、
・アンテナを含むＲＦモジュールの軸に対して軸が略平行な平坦マウントへの組付け、
・アンテナを含むＲＦモジュールの軸に対して軸が略垂直な平坦マウントへの組付け
が考えられる。
【００４６】
アンテナを、その（水平面における角度を調整する）アジマス方向及びその（水平面における角度を調整する）ティルト方向の双方において整合することを可能とする自由度は、設置現場によって必要となる実施構成による。これらの様々な構成は、モジュール間の移動を可能とするとともにアンテナシステムを適所に保持する境界部の可変のプロファイルに起因する第１のＲＦモジュール及び第２のアセンブリモジュールの接合の柔軟性によって可能となる。
【００４７】
当然に、本発明は、記載された実施形態に限定されず、発明の精神から逸脱することなく当業者に利用可能となる多数の変形例も対象とする。
【図１】
0006313449.tif 000002
【図２】
0006313449.tif 000003
【図３】
0006313449.tif 000004
【図４】
0006313449.tif 000005
【図５】
0006313449.tif 000006
【図６】
0006313449.tif 000007
【図７】
0006313449.tif 000008
【図８】
0006313449.tif 000009
【図９】
0006313449.tif 000010
【図１０】
0006313449.tif 000011
【図１１】
0006313449.tif 000012
【図１２】
0006313449.tif 000013